(57)【要約】      （修正有）【課題】グリル扉やのぞき窓に使用者の手や指が触れることをガード体によって抑制、防止し、かつ、使用者がガード体に触れたときにも熱く感じることを抑制することが可能な、安全で使い勝手のよい加熱調理器を提供する。【解決手段】グリル庫４１と、ガラス４３ａがはめ込まれたのぞき窓４３を備えたグリル扉４２とを備えた加熱調理器において、のぞき窓の前方に配設され、のぞき窓を覆うガード部材６０を備えているとともに、ガード部材６０の主要部が、ガラス繊維からなる布により構成されており、ガード部材の少なくとも上部の左右領域には磁石７０が止着され、グリル扉が、磁性体からなり、ガラスをのぞき窓に係止する金属枠４４を備え、磁石と金属枠との間に生じる磁力によって、ガード部材の少なくとも上部の左右領域が、のぞき窓の前方に止着されるように構成する。【選択図】図３
2019143920.tif 000002
【特許請求の範囲】
【請求項１】
前方に開口を備え、被加熱物を前記開口から内部に収納するグリル庫と、前記グリル庫の前方に配置され、前記開口を開閉するグリル扉であって、ガラスがはめ込まれたのぞき窓を備えたグリル扉とを備えた加熱調理器であって、
前記のぞき窓の前方に配設され、前記のぞき窓を覆うガード部材を備えているとともに、
前記ガード部材の主要部が、ガラス繊維からなる布により構成されており、
前記ガード部材の少なくとも上部の左右領域には磁石が止着され、
前記グリル扉が、磁性体からなり、前記ガラスを前記のぞき窓に係止する金属枠を備え、
前記磁石と前記金属枠との間に生じる磁力によって、前記ガード部材の少なくとも上部の左右領域が、前記のぞき窓の前方に止着されるように構成されていること
を特徴とする加熱調理器。
【請求項２】
前記ガード部材の下部の左右領域にも磁石が止着され、
前記ガード部材の下部の左右領域に止着された前記磁石と前記金属枠との間に生じる磁力によって、前記ガード部材の下部の左右領域が、前記のぞき窓の前方に止着されるように構成されていること
を特徴とする請求項１記載の加熱調理器。
【請求項３】
前記ガラス繊維からなる布が、前方に位置する表用の布と後方に位置する裏用の布とを備え、
前記磁石が、前記表用の布と前記裏用の布との間に挟持される態様で、前記ガード部材に止着されていること
を特徴とする請求項１または２記載の加熱調理器。
【請求項４】
前記磁石が、接着によって前記ガード部材に止着されていることを特徴とする請求項１または２記載の加熱調理器。
【発明の詳細な説明】
【技術分野】
【０００１】
本発明は、加熱調理器に関し、詳しくは、グリルを備え、前面にグリル庫の開閉を行うためのグリル扉を備えた加熱調理器に関する。
【背景技術】
【０００２】
加熱調理器の中には、肉や魚などの被調理物を焼いたりする調理に用いられるグリルを備えた加熱調理器がある。そして、グリルを備えたガスコンロなどの加熱調理器においては、前面にグリルを構成するグリル庫の開閉を行うためのグリル扉を備えたものが一般的である。
【０００３】
このような加熱調理器の場合、グリル調理が行われると、グリル庫内の加熱手段によりグリル扉が加熱されて高温になるため、使用者らがグリル扉に触れると熱さに驚ろかされる場合があるばかりでなく、火傷をするおそれもある。
【０００４】
そのため、グリル扉や、グリル庫内ののぞき窓の前に、ガード部材や保護部材を配設するようにした加熱調理器が提案されている。
【０００５】
そして、特許文献１には、線材または棒材から構成され、のぞき窓の前方を覆うガード体を備えるグリル（加熱調理器）が開示されている。そして、この特許文献１の加熱調理器において、ガード体はグリル扉の取っ手に取り付けられるように構成されている。
【０００６】
そして、上記特許文献１に記載された加熱調理器は、グリル扉の前面がガード体によって覆われていることから、高温になるグリル扉やのぞき窓への、使用者の手や指の接触が抑制、防止され、調理の際の安全性や信頼性、快適性などを向上させることができる点で有意義である。
【先行技術文献】
【特許文献】
【０００７】
【特許文献１】特許５１００４４０号公報
【発明の概要】
【発明が解決しようとする課題】
【０００８】
しかしながら、上記特許文献１に記載された加熱調理器においては、ガード体が、熱の伝わりやすい金属の線材または棒材から構成されているので、ガード体によって使用者がグリル扉の前面に触れて火傷をすることは防止できても、使用者がガード体に触れたときに熱さを感じやすく、不快感を与えることが考えられ、改善の余地があるのが実情である。
【０００９】
本発明は、上記の課題を解決するものであり、グリル扉の前面を覆うガード体を備え、使用時に高温になるグリル扉やのぞき窓に使用者の手や指が触れることをガード体によって抑制、防止し、かつ、使用者がガード体に触れたときにも熱く感じることを抑制することが可能な、安全で使い勝手のよい加熱調理器を提供することを目的とする。
【課題を解決するための手段】
【００１０】
上記の目的を達成するために、本発明の加熱調理器は、
前方に開口を備え、被加熱物を前記開口から内部に収納するグリル庫と、前記グリル庫の前方に配置され、前記開口を開閉するグリル扉であって、ガラスがはめ込まれたのぞき窓を備えたグリル扉とを備えた加熱調理器であって、
前記のぞき窓の前方に配設され、前記のぞき窓を覆うガード部材を備えているとともに、
前記ガード部材の主要部が、ガラス繊維からなる布により構成されており、
前記ガード部材の少なくとも上部の左右領域には磁石が止着され、
前記グリル扉が、磁性体からなり、前記ガラスを前記のぞき窓に係止する金属枠を備え、
前記磁石と前記金属枠との間に生じる磁力によって、前記ガード部材の少なくとも上部の左右領域が、前記のぞき窓の前方に止着されるように構成されていること
を特徴としている。
【００１１】
本発明の加熱調理器においては、
前記ガード部材の下部の左右領域にも磁石が止着され、
前記ガード部材の下部の左右領域に止着された前記磁石と前記金属枠との間に生じる磁力によって、前記ガード部材の下部の左右領域が、前記のぞき窓の前方に止着されるように構成されていること
が好ましい。
【００１２】
また、前記ガラス繊維からなる布が、前方に位置する表用の布と後方に位置する裏用の布とを備え、
前記磁石が、前記表用の布と前記裏用の布との間に挟持される態様で、前記ガード部材に止着されていること
が好ましい。
【００１３】
また、前記磁石が、接着によって前記ガード部材に止着されていることが好ましい。
【発明の効果】
【００１４】
本発明の加熱調理器は、上述のように構成されており、のぞき窓の前方に配設され、のぞき窓を覆うガード部材を備えているとともに、ガード部材の主要部が、ガラス繊維からなる布により構成されており、ガード部材の少なくとも上部の左右領域には磁石が止着され、グリル扉が、磁性体からなり、ガラスをのぞき窓に係止する金属枠を備え、磁石と金属枠との間に生じる磁力によって、ガード部材の少なくとも上部の左右領域が、のぞき窓の前方に止着されるように構成されているので、使用時に高温になるグリル扉や透明窓への手や指の接触が防止され、しかも、使用者がガード体に触れたとき、熱く感じてしまうことが抑制される。
【００１５】
また、ガード部材に止着された磁石と、ガラスをのぞき窓に係止する金属枠と、の間に生じる磁力によって、ガード部材が、のぞき窓の前方に止着されるので、加熱調理器を使用する際に、ガード部材が邪魔にならず、使い勝手の良い加熱調理器を提供することができる。
【００１６】
また、ガード部材の下部の左右領域にも磁石が止着され、ガード部材の下部の左右領域に止着された磁石と金属枠との間に生じる磁力によって、ガード部材の下部の左右領域が、のぞき窓の前方に止着されるように構成した場合、ガード部材が、グリル扉の前方の適正位置からずれてしまうことが抑制され、本発明による効果を損なうことが抑制される。
【００１７】
また、ガラス繊維からなる布が、前方に位置する表用の布と後方に位置する裏用の布とを備え、磁石が、表用の布と裏用の布との間に挟持される態様で、ガード部材に止着されている構成とした場合、磁石がガード部材に適正に止着され、磁石がガード部材から脱落することが抑制される。
【００１８】
また、磁石が、接着によってガード部材に止着されている構成とした場合、簡単に磁石をガード部材に止着することができる。
【図面の簡単な説明】
【００１９】
【図１】本発明の実施形態にかかる加熱調理器の斜視図である。
【図２】本発明の実施形態にかかる加熱調理器が備えるグリル扉にガード部材を装着した状態を示す斜視図である。
【図３】本発明の実施形態にかかる加熱調理器が備えるグリル扉にガード部材を装着した状態を示す図であって、（ａ）は正面図、（ｂ）は（ａ）のIIIb−IIIb線断面図である。
【図４】本発明の実施形態にかかる加熱調理器が備えるガード部材の図であって、（ａ）は表面を示す斜視図、（ｂ）は裏面を示す斜視図である。
【図５】本発明の実施形態にかかる加熱調理器が備えるガード部材の平断面図である。
【図６】本発明の別実施形態にかかる加熱調理器が備えるガード部材の平断面図である。
【発明を実施するための形態】
【００２０】
以下、本発明の実施形態を示して、その特徴とするところをさらに詳しく説明する。
【００２１】
［実施形態］
本実施形態では、加熱調理器として、グリルが組み込まれたグリル付きガスコンロを例にとって説明する。
【００２２】
＜グリル付きガスコンロの基本構造＞
本発明の一実施形態にかかる加熱調理器Ａは、グリル付きガスコンロであって、コンロ部１０１とグリル部１０４を備えたビルトイン型のガスコンロである。以下説明を行う。
【００２３】
この実施形態にかかる加熱調理器（グリル付きガスコンロ）Ａは、図１に示すように、高火力バーナ１（１ａ）、１（１ｂ）、および小バーナ１（１ｃ）の３つのバーナ（コンロバーナ）を備えている。
【００２４】
また、トッププレート１２上には、各バーナ（コンロバーナ）１の上部に載置される鍋などの被加熱物（調理容器）（図示せず）を受け止め、支持するための五徳５１が載置されている。
【００２５】
また、グリル付きガスコンロＡは、前方に開口４１ａを備え、被加熱物を開口４１ａから内部に収納する箱状に構成されたグリル庫４１と、グリル庫４１の前方に配置され、開口４１ａを開閉するグリル扉４２とを備えている。
【００２６】
また、グリル扉４２には、グリル庫４１内を透視するための、ガラス（強化ガラス）４３ａがはめ込まれたのぞき窓４３（図２参照）が形成されている。
【００２７】
さらに、各コンロバーナ１（１ａ、１ｂ、１ｃ）には、例えば、鍋やフライパンなどの調理容器（図示せず）の底に接触してその温度を検出するためのサーミスタからなる温度検出体（鍋底温度センサ）９が、コンロバーナ１（１ａ、１ｂ、１ｃ）の中央を貫通するように配設されている。
【００２８】
そして、この温度検出体（鍋底温度センサ）９を備えたコンロバーナ１（１ａ、１ｂ、１ｃ）により、炊飯、湯沸かし、揚げものなどの温調調理を行うことができるように構成されている。
【００２９】
また、加熱調理器Ａの前側面の操作盤には、上述のコンロバーナ１（１ａ、１ｂ、１ｃ）とグリルバーナ（図示せず）の点火および消火、火力調節と各種の設定とを指令する手動操作部３４が設けられている。
【００３０】
なお、グリル部１０４は、箱状のグリル庫４１（ただし、内部は図示せず）内に、魚などの被調理物を載置するための載置部として機能する焼き網（図示せず）を設けた構成とされている。また、グリル庫４１内には、１つの上側バーナ（図示せず）と２つの下側バーナ（図示せず）が配設されている。
【００３１】
上記手動操作部３４は、コンロバーナ１（高火力バーナ１ａ、１ｂ、小バーナ１ｃ）のそれぞれに対して各別に点火・消火や火力調節を指令するための３つのバーナ操作部２１（２１ａ、２１ｂ、２１ｃ）、コンロバーナ１（１ａ、１ｂ、１ｃ）の温調機能（湯沸かし、揚げ物、炊飯）とタイマ機能についての操作および表示を行うコンロバーナ用の付加機能操作・表示部３２、グリルバーナ（上側バーナと２つの下側バーナ）の火力調節などを行うグリルバーナ操作部２２、グリルバーナの作動状態の切り換えを指令するグリル用の付加機能操作・表示部３３などを備えている。
【００３２】
なお、器具本体１０の前面右上に配置された電源スイッチ２４をＯＮにした後に、上記高火力バーナ操作部２１ａ、高火力バーナ操作部２１ｂ、および小バーナ操作部２１ｃを押し込み操作することにより、高火力バーナ１ａ、高火力バーナ１ｂ、および小バーナ１ｃが点火するとともに、各バーナ操作部２１（２１ａ、２１ｂ、２１ｃ）が内部から飛び出して、火力調節を行うことができるように構成されている。
【００３３】
また、各バーナ操作部２１（２１ａ、２１ｂ、２１ｃ）を再度押し込むことにより、高火力バーナ１ａ、高火力バーナ１ｂ、小バーナ１ｃの消火動作が実行されるとともに、各バーナ操作部２１（２１ａ、２１ｂ、２１ｃ）が器具本体１０の内部に収納されるように構成されている。
【００３４】
なお、このような操作部の構成は周知であるので詳細な説明は省略する。
【００３５】
＜特徴的構成＞
本実施形態にかかる加熱調理器（グリル付きガスコンロ）Ａは、図２に示すように、グリル扉４２ののぞき窓４３の前方に配置され、のぞき窓４３を覆って、使用者らがグリル扉４２ののぞき窓４３に触れることを抑制、防止するガード部材６０を備えている。
【００３６】
ガード部材６０の主要部は、ガラス繊維からなる布であるガラスクロス６１により構成されている。
【００３７】
なお、ガラスクロス６１は、ガラス繊維を織り込んだ織布であってもよいし、ガラス繊維を熱・機械的または化学的な作用によって接着または絡み合わせる事で布にした不織布であってもよい。
【００３８】
そして、本実施形態では、ガード部材６０の上部の左右、および、ガード部材６０の下部の左右のそれぞれに、合計４つの磁石７０が止着されている（図２、図３、図４参照）。
【００３９】
また、グリル扉４２は、のぞき窓４３にはめ込まれたガラス（強化ガラス）４３ａを保持する（すなわち、ガラス（強化ガラス）４３ａをのぞき窓４３に係止する）機能を果たす金属枠４４を備えている（図３）。
【００４０】
そして、金属枠４４は、磁性を有する金属から形成されており、磁石７０と金属枠４４との間に生じる磁力によって、ガード部材６０が、のぞき窓４３の前方に止着されるように構成されている（図３参照）。
なお、具体的には、金属枠４４は、鉄鋼材料（ＳＳ材）からなる枠状構造体の表面に塗装を施すことにより形成されている。ただし、金属枠４４の具体的な材質に特別の制約はなく、磁石７０との間に生じる磁力によって、ガード部材６０をのぞき窓４３の前方に止着することができるような磁性を有する種々の材料を用いることが可能である。
【００４１】
また、本実施形態では、図４、図５に示すように、ガード部材６０を構成するガラス繊維からなる布が、前方に位置する表用の布（ガラスクロス（表用））６１ａと、後方に位置する裏用の布（ガラスクロス（裏用））６１ｂとから構成されている。
【００４２】
そして、磁石７０は、表用の布（ガラスクロス）６１ａと裏用の布（ガラスクロス）６１ｂとの間に挟持される態様で、ガード部材６０の所定の位置に止着されている。
【００４３】
具体的には、図４、図５に示すように、表用のガラスクロス６１ａと裏用のガラスクロス６１ｂとの間に磁石７０を挟み込み、磁石７０の周囲および表用のガラスクロス６１ａと裏用のガラスクロス６１ｂの周囲の、点線６２で示す位置を、縫い糸（図示せず）で縫って、磁石７０を、ガード部材６０の所定の位置に止着するように構成されている。
【００４４】
本実施形態の加熱調理器Ａは、上述のように構成されているので、使用時に高温になるグリル扉４２やのぞき窓４３に、使用者の手や指が接触することが防止され、しかも、使用者がガード部材６０に触れたときにも、熱く感じてしまうことを抑制することができる。
【００４５】
さらに、上述のように、ガード部材６０に止着された磁石７０と、ガラス（強化ガラス）４３ａをのぞき窓４３に係止する金属枠４４との間に生じる磁力によ  って、ガード部材６０が、のぞき窓４３の前方に止着されるように構成されているので、加熱調理器Ａを使用する際に、ガード部材６０が邪魔になるようなことがなく、使い勝手のよいグリル付きガスコンロＡを実現することができる。
【００４６】
さらに、上記実施形態では、ガード部材６０の上部の左右、および、ガード部材６０の下部の左右のそれぞれに配設された合計４つの磁石７０により、ガード部材６０が、のぞき窓４３の前方の所定の位置に取り付けられているので、ガード部材６０をより確実にのぞき窓４３の前方の所定の位置に止着することができる。その結果、ガード部材６０が、グリル扉４２の前方の適正位置からずれてしまうことを抑制して、信頼性を向上させることができる。
【００４７】
ただし、ガード部材６０の上部の左右のみならず、下部の左右にも磁石７０が配設されている点は、任意の構成であり、磁石７０がガード部材６０の上部の左右のみに止着され、ガード部材６０の下部の左右には磁石７０が止着されていない構成とすることも可能である。その場合、ガード部材６０の上部が磁石７０によりのぞき窓４３の前方に止着され、ガード部材６０の下部は、自重により垂下するので、ガード部材６０全体が、のぞき窓４３の前方に保持されることになる。
【００４８】
また、上記実施形態では、磁石７０が、表用の布（ガラスクロス）６１ａと裏用の布（ガラスクロス６１ｂ）との間に挟持される態様で、所定の位置（点線６２で示す位置）（図４など参照）を縫い糸で縫うことにより、ガード部材６０の所定の位置に止着されているので、磁石７０をガード部材６０に適正な位置に配設し、保持することが可能で、磁石７０がガード部材６０から脱落することを抑制することができる。
【００４９】
また、磁石７０が露出することによって美観を損なうことなく、ガード部材６０を磁石７０の磁力により、のぞき窓４３の前方の所定の位置に止着することが可能になる。
【００５０】
（別実施形態）
上述の実施形態では、表用のガラスクロス６１ａと裏用のガラスクロス６１ｂとの間に磁石７０を挟み込み、所定の位置を縫い糸で縫って、磁石７０を、ガード部材６０の所定の位置に止着するように構成しているが、図６に示すように、接着剤６３によって、磁石７０を、ガード部材６０の主体であるガラス繊維からなる布（ガラスクロス）６１の所定の位置に止着するように構成してもよい。
【００５１】
接着によって、磁石７０を、ガード部材６０の主体であるガラス繊維からなる布（ガラスクロス）６１に止着するようにした場合、簡単に磁石７０をガード部材６０の所定の位置に止着することができる。
【００５２】
なお、磁石７０をガード部材６０の所定の位置に止着する方法に特別の制約はなく、例えば、締結部材（ボルト、ナット、ワッシャ）を用いて磁石７０をガード部材６０の所定の位置に止着するように構成することも可能である。
【００５３】
本発明は、さらにその他の点においても上記実施形態に限定されるものではなく、本発明の範囲内において種々の変形を加えることが可能である。
【符号の説明】
【００５４】
Ａ          加熱調理器（グリル付きガスコンロ）
１（１ａ、１ｂ）    高火力バーナ
１（１ｃ）          小バーナ
９          温度検出体（鍋底温度センサ）
１０        器具本体
１２        トッププレート
２１        バーナ操作部
２１ａ、２１ｂ      高火力バーナ操作部
２１ｃ      小バーナ操作部
２２        グリルバーナ操作部
２４        電源スイッチ
３２        コンロバーナ用の付加機能操作・表示部
３３        グリル用の付加機能操作・表示部
３４        手動操作部
４１        グリル庫
４１ａ      開口
４２        グリル扉
４３        のぞき窓
４３ａ      ガラス（強化ガラス）
４４        金属枠
５１        五徳
６０        ガード部材
６１        ガラス繊維からなる布（ガラスクロス）
６１ａ      表用の布（ガラスクロス（表用））
６１ｂ      裏用の布（ガラスクロス（裏用））
６２        縫い糸で縫った位置を示す点線
６３        接着剤
７０        磁石
１０１      コンロ部
１０４      グリル部  
【図１】
2019143920.tif 000003
【図２】
2019143920.tif 000004
【図３】
2019143920.tif 000005
【図４】
2019143920.tif 000006
【図５】
2019143920.tif 000007
【図６】
2019143920.tif 000008